(57)【要約】【課題】抜き差し可能な被記録媒体トレイの記録装置本体からの抜け落ちを防止しつつ、抜き差しを円滑に行うことができる被記録媒体トレイを備えた記録装置を提供することにある。【解決手段】被記録媒体を載置し、抜き差し可能なスタッカ１３２を備えたインクジェット式プリンタ１００であって、スタッカ１３２には、差込部１３２ａを有し、インクジェット式プリンタ１００本体には、差込部１３２ａを差し込むスタッカ差込口１３３と差込部１３２ａと係止する抜止部１０２ａとを有する。これにより、スタッカ１３２上に例えば用紙等が大量に載置された場合、用紙等の荷重によってスタッカ１３２が抜け落ちてしまうのを防ぐことができる。【選択図】図６
2007261744.tif 000002
【特許請求の範囲】
【請求項１】
被記録媒体に記録する記録装置本体と、被記録媒体を載置し、前記記録装置本体に抜き差し可能な被記録媒体トレイとを備えた記録装置であって、
前記被記録媒体トレイは、前記記録装置本体に差し込まれる差込部を有し、
前記記録装置本体は、前記差込部が差し込まれる差込口と、
前記差込部と係止可能な抜止部とを有することを特徴とする記録装置。
【請求項２】
前記抜止部は、前記被記録媒体トレイが前記記録装置本体に対して所定の状態となった際に、前記差込部が係止されるように配設されていることを特徴とする請求項１記載の記録装置。
【請求項３】
前記抜止部は、前記差込口の差込直交方向内側に向かって突出した第１の突起であることを特徴とする請求項１又は２に記載の記録装置。
【請求項４】
前記第１の突起は、前記差込口の差込直交方向内側に曲面を有する略半円柱形状であることを特徴とする請求項３に記載の記録装置。
【請求項５】
前記差込部は前記抜止部に係止される係止部を有し、該係止部は差込直交方向外側に向かって突出した第２の突起であることを特徴とする請求項１〜４の何れか一項に記載の記録装置。
【請求項６】
前記第２の突起は、差込直交方向外側に曲面を有する略半円柱形状であることを特徴とする請求項５に記載の記録装置。
【請求項７】
前記抜止部は、前記記録装置本体の筐体と一体成形されたことを特徴とする請求項１〜６の何れか一項に記載の記録装置。
【発明の詳細な説明】
【技術分野】
【０００１】
本発明は、記録装置本体に抜き差し可能な被記録媒体トレイを備えた記録装置に関する。
【背景技術】
【０００２】
記録装置の１つであるインクジェット式プリンタや熱転写式プリンタは、画像を記録する用紙が載置された給紙トレイから用紙を搬送し、記録ヘッドが搭載されたキャリッジを用紙の搬送直交方向（主走査方向）に往復移動させることにより記録し、画像が記録された用紙を排紙トレイへ搬送して載置させる。
【０００３】
このような記録装置においては、給紙トレイや排紙トレイ等の被記録媒体トレイが記録装置本体から抜き差し可能になっているものがある（特許文献１参照）。
【０００４】
【特許文献１】特開２００３−２０１０３４号公報
【発明の開示】
【発明が解決しようとする課題】
【０００５】
上述したような記録装置においては、必要に応じて被記録媒体トレイを記録装置本体に抜き差しする。従って、被記録媒体トレイの抜き差しをする際には、円滑に抜き差し可能であることが求められている。しかしながら、例えば記録装置の使用時に被記録媒体トレイ上に用紙等が大量に載置された場合、用紙等の荷重によって被記録媒体トレイが抜け落ちてしまう虞がある。
【０００６】
本発明は、上記のような種々の課題に鑑みなされたものであり、その目的は、抜き差し可能な被記録媒体トレイの記録装置本体からの抜け落ちを防止しつつ、抜き差しを円滑に行うことができる被記録媒体トレイを備えた記録装置を提供することにある。
【課題を解決するための手段】
【０００７】
上記目的達成のため、本発明の記録装置では、被記録媒体に記録する記録装置本体と、
被記録媒体を載置し、前記記録装置本体に抜き差し可能な被記録媒体トレイとを備えた記録装置であって、前記被記録媒体トレイは、前記記録装置本体に差し込まれる差込部を有し、前記記録装置本体は、前記差込部を差し込む差込口と、前記差込部と係止可能な抜止部とを有することを特徴とする。これにより、記録装置の使用時に被記録媒体トレイ上に例えば用紙等が大量に載置された場合、用紙等の荷重によって被記録媒体トレイが抜け落ちてしまうことを防止できる。
【０００８】
また、前記抜止部は、前記被記録媒体トレイが前記記録装置本体に対して所定の状態となった際に、前記差込部が係止されるように配設されていることを特徴とする。これにより、被記録媒体トレイが前記記録装置本体に対して所定の状態となった際、例えば被記録媒体トレイが記録装置本体に対して所望の角度になった状態で被記録媒体トレイを係止することができる。
【０００９】
また、前記抜止部は、前記差込口の差込直交方向内側に向かって突出した第１の突起であることを特徴とする。これにより、簡易な構造で被記録媒体トレイの抜け落ちを防止することができる。また、前記第１の突起は、前記差込口の差込直交方向内側に曲面を有する略半円柱形状であることを特徴とする。これにより、用紙等の荷重によって被記録媒体トレイが抜け落ちてしまうことを防止しつつ、ユーザによる抜き差し時には曲面部分が差込部と当接するため被記録媒体トレイを円滑に移動させることができる。また、抜き差し時に差込部側を傷つけるのを防止することができる。
【００１０】
また、前記差込部は前記抜止部に係止される係止部を有し、該係止部は差込直交方向外側に向かって突出した第２の突起であることを特徴とする。これにより、差込部側を簡易な構造で形成し被記録媒体トレイの抜け落ちを防止することができる。また、前記第２の突起は、差込直交方向外側に曲面を有する略半円柱形状であることを特徴とする。これにより、用紙等の荷重によって被記録媒体トレイが抜け落ちてしまうことを防止しつつ、ユーザによる抜き差し時には曲面部分が抜止部と当接するため被記録媒体トレイを円滑に移動させることができる。また、抜き差し時に抜止部側を傷つけるのを防止することができる。
【００１１】
前記抜止部は、前記記録装置本体の筐体と一体成形されたことを特徴とする。これにより、部品点数を削減することができ製造効率を高めることができる。
【発明を実施するための最良の形態】
【００１２】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１３】
図１は、本発明の一実施形態に係る記録装置の１つであるインクジェット式プリンタの外部構成全体の斜視図、図２は、このインクジェット式プリンタのペーパーサポート及びスタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１４】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１５】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００１６】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００１７】
操作部１１０は、図１に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００１８】
給紙部１２０は、図１及び図２に示すように、上方に向かって矩形状に開口した給紙口１２１と、給紙する用紙を１枚もしくは複数枚サポートするペーパーサポート１２２（用紙トレイ）を備えている。このペーパーサポート１２２は、プリンタ本体の図示しない後壁部に形成された差込口に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００１９】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２０】
排紙部１３０は、図２に示すように、前方に向かって矩形状に開口した排紙口１３１と、排紙される用紙を１枚もしくは複数枚スタックする機能を併せ持ったスタッカ１３２（用紙トレイ）を備えている。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２１】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２２】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２３】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２４】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２５】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００２６】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００２７】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。次に、本発明の特徴的な部分であるスタッカ１３２及びスタッカ１３２の抜け止め構造について図を参照して説明する。
【００２８】
図５は、スタッカ１３２の外観構成の斜視図であり、図６（ａ）は、スタッカ１３２がインクジェット式プリンタ１００に差し込まれた状態をプリンタ内部下方側から見た斜視図であり、図６（ｂ）は、スタッカ１３２がインクジェット式プリンタ１００に差し込まれた状態を示す平面図であり、図７は、スタッカ１３２がインクジェット式プリンタ１００に差し込まれる途中の状態を示す平面図である。
【００２９】
ここで、本実施形態における副走査方向は、スタッカ１３２の差込方向と一致する。また主走査方向は、スタッカ差込口１３３の差込面上における、差込方向と直交する差込直交方向と一致する。
【００３０】
スタッカ１３２は、図５に示すように、プリンタ本体のスタッカ差込口１３３に差し込むための差込部１３２ａを有している。差込部１３２ａは、主走査方向の幅がスタッカ差込口１３３の幅と略同じであり、副走査方向に延びたスリット１３２ｄが形成された櫛状となっている。差込部１３２ａの主走査方向における両端には、副走査方向に延びた形状であって、差込部１３２ａの主走査方向外側に突出した略半円柱形状の突起１３２ｃを備えた係止部１３２ｂが設けられている。
【００３１】
このスタッカ１３２によると、差込部１３２ａをスタッカ差込口１３３に差し込むことにより、差込部１３２ａの係止部１３２ｂがスタッカ差込口１３３の内部においてプリンタ本体と係止されることとなり、スタッカ１３２がプリンタ本体に装着された状態を維持できるようになっている。
【００３２】
抜止部１０２ａは、図６（ａ）及び図６（ｂ）に示すように、スタッカ差込口１３３の主走査方向内側に突起した突起であり、下部ハウジング１０２と一体成形されている。抜止部１０２ａは、差込部１３２ａ全体がスタッカ差込口１３３に差し込まれた状態においてスタッカ１３２が係止されるような位置に配設されている。これにより、スタッカ１３２の差込部１３２ａ全体がスタッカ差込口１３３に差し込まれた状態において、スタッカ１３２を確実に係止することができる。そして、抜止部１０２ａ及び係止部１３２ｂが係止することにより、用紙等の荷重によってスタッカ１３２の抜け落ちることを防止することができる。
【００３３】
また、抜止部１０２ａは図６（ａ）に示すようにスタッカ差込口１３３の副走査方向に沿って曲面を有する略半円柱形状である。これにより、用紙等の荷重によってスタッカ１３２が抜け落ちてしまうことを防止しつつ、ユーザによる抜き差し時には曲面部分が差込部１３２ａの係止部１３２ｂと当接するためスタッカ１３２を円滑に移動させることができる。また、スタッカ１３２を傷つけたり破損させたりすることを防止できる。更に、差込部１３２ａ側の係止部１３２ｂの突起１３２ｃは、抜止部１０２ａの曲面部分と対向する部分が曲面で形成されているため、相互に傷付き等を防止することができる。
【００３４】
ここで、スタッカ１３２の抜き差しの際は、図６（ｂ）に示すように図示矢印Ａ方向で示す差込方向すなわちスタッカ差込口１３３に対して略水平方向に力が加えられる。従って、スタッカ１３２が移動する際に抜止部１０２ａの曲面部分と係止部１３２ｂの曲面部分とが略水平に当接し合い、円滑に移動することができる。このため、ユーザはスタッカ１３２を円滑に抜き差しすることができる。
【００３５】
このように、部品点数を増やすことなく簡易な構造で、スタッカ１３２の抜け落ちを防止することができ且つスタッカ１３２の抜き差しの際は円滑に抜き差し可能とすることができる。
【００３６】
スタッカ１３２の抜き差しの過程は、図７に示すように、差込部１３２ａの係止部１３２ｂがスタッカ差込口１３３の差込方向側面に沿って摺動しながら差し込まれていく。この際、プリンタ本体のスタッカ差込口１３３に形成された副走査方向に延びた二つの突起部１０２ｂが、差込部１３２ａのスリット１３２ｄに嵌まり込み、スタッカ１３２が副走査方向に案内される。そして、係止部１３２ｂの突起１３２ｃが抜止部１０２ａに当接すると係止部１３２ｂは内側に撓んだ状態になり、更に差し込まれると係止部１３２ｂは復元し、抜止部１０２ａに係止する。
【００３７】
これにより、スタッカ１３２は突起部１０２ｂにより副走査方向に案内されるため、左右の係止部１３２ｂの突起１３２ｃが抜止部１０２ａと当接した際にかかる力によっても図示左右方向にぶれることなくスタッカ１３２を容易に差し込むことができる。また、スタッカ１３２を差し込んでいき抜止部１０２ａと係止する際、一定の装着感をユーザに与えることができ、ユーザはスタッカ１３２の差込状態を容易に確認しうる。
【００３８】
尚、上述した実施形態では、排紙側のスタッカ１３２について説明したが、給紙側のペーパーサポート１２２についても適用可能である。
【００３９】
また、上述した実施形態では、スタッカ１３２の差込方向がインクジェット式プリンタ１００の副走査方向と一致するものとしたが、例えばスタッカ１３２の差込方向が主走査方向と一致する場合にも適用可能である。
【産業上の利用可能性】
【００４０】
被記録媒体トレイを備えた記録装置であれば、例えばファクシミリ装置、コピー装置等であっても適用可能である。
【図面の簡単な説明】
【００４１】
【図１】本発明の一実施の形態に係る記録装置の１つであるインクジェット式プリンタの外観構成全体の斜視図である。
【図２】図１のプリンタのペーパーサポート及びスタッカ取付時の外部構成全体の斜視図である。
【図３】図１のプリンタの内部構成の概略を示す斜視図である。
【図４】図１のプリンタの内部構成の概略を示す断面側面図である。
【図５】図１のプリンタのスタッカの外観構成の斜視図である。
【図６】図１のプリンタのスタッカがプリンタに差し込まれた状態を示す斜視図及び平面図である。
【図７】図１のプリンタのスタッカがプリンタに差し込まれる途中の状態を示す平面図である。
【符号の説明】
【００４２】
１００  インクジェット式プリンタ、１０２  下部ハウジング、１０２ａ  抜止部、１０２ｂ  突起部、１１０  操作部、１２０  給紙部、１３０  排紙部、１３２  スタッカ、１３２ａ  差込部、１３２ｂ  係止部、１３２ｃ  突起、１３２ｄ  スリット部、１４０  用紙搬送部、１５０  記録部、１５２  記録ヘッド。
【図１】
2007261744.tif 000003
【図２】
2007261744.tif 000004
【図３】
2007261744.tif 000005
【図４】
2007261744.tif 000006
【図５】
2007261744.tif 000007
【図６】
2007261744.tif 000008
【図７】
2007261744.tif 000009